(57)【特許請求の範囲】
【請求項１】
デッキプレート幅方向の一方の側縁に、谷面と同一高さの平坦部から立ち上がり次いで幅方向外方に延びた後に下向きで内方に折り返された断面形状の下向き係合部を持ち、他方の側縁に、隣接するデッキプレートの下向き係合部に嵌合する上向き係合部を持つデッキプレートを対象として、その長さ方向端部を金型で押し潰して、山面と谷面との中間高さ位置又は山面高さ位置に端部閉塞の梁載置部を形成する中間エンドクローズドデッキプレート又は逆エンドクローズドデッキプレートを製造する際に、押潰し変形を受ける部分と押潰し変形を受けない部分との境界近傍において、前記下向き係合部を、そのエッジを外方に引き出して開いた形状にするエンドクローズドデッキプレートの下向き係合部開き機構であって、
凸部を有しこの凸部が前記下向き係合部に嵌合した状態でデッキプレート幅方向の外方に移動可能に設けられた水平可動部材と、前記水平可動部材をデッキプレート幅方向外方に駆動する駆動手段とを備えたことを特徴とするエンドクローズドデッキプレートの下向き係合部開き機構。
【請求項２】
前記駆動手段は、金型を設置したプレス機のストロークを利用して水平可動部材をデッキプレート幅方向外方に駆動するものであることを特徴とする請求項１記載のエンドクローズドデッキプレートの下向き係合部開き機構。
【請求項３】
前記駆動手段は、プレス機のストローク時に、前記水平可動部材に対して相対的に上下移動可能に設けた垂直な棒状の駆動部材に傾斜面を形成し、この駆動部材の傾斜面と水平可動部材に形成した傾斜面とが接触摺動することにより、水平可動部材をデッキプレート幅方向に駆動するカムスライド機構であることを特徴とする請求項１又は２記載のエンドクローズドデッキプレートの下向き係合部開き機構。
【請求項４】
中間エンドクローズドデッキプレートを製造する際に用いられる下向き係合部開き機構であって、
上記金型が、中間エンドクローズド形状の下面形状に概ね合わせた凹凸面を持つ下金型と、中間エンドクローズド形状の上面形状に概ね合わせた凹凸面を持つ昇降可能な上金型とからなり、前記下金型は、少なくとも押潰し変形を受ける部分に対応する固定の固定下金型と、デッキプレートの押潰し変形を受けない部分を保持しながら前記固定下金型に対して昇降可能な可動下金型とに分割されており、この可動下金型に前記水平可動部材を移動可能に設け、前記固定下金型に前記駆動部材を設けたことを特徴とする請求項１〜３記載のエンドクローズドデッキプレートの下向き係合部開き機構。
【発明の詳細な説明】
【技術分野】
【０００１】
この発明は、隣接するデッキプレートの下向き係合部に嵌合する上向き係合部を持つデッキプレートを対象として、その長さ方向端部を金型で押し潰して、山面と谷面との中間高さ位置又は山面高さ位置に端部閉塞の梁載置部を形成する中間エンドクローズドデッキプレート又は逆エンドクローズドデッキプレートを製造する際に、押潰し変形を受ける部分と押潰し変形を受けない部分との境界近傍において、前記下向き係合部を、そのエッジを外方に引き出して開いた形状にするエンドクローズド（以下エンクロという）デッキプレートの下向き係合部開き機構に関する。
【背景技術】
【０００２】
図１１に示すように、水平な山面２と谷面３とが斜面４で連続して台形波形断面形状をなすデッキプレート１はコンクリート床を構築する際の捨て型枠として広く用いられている。
そして、敷き並べたデッキプレート上にコンクリートを打設した時に、コンクリートが隣接するデッキプレート間の隙間から漏れないように、図示のように、デッキプレート幅方向の両側縁に、隣接するデッキプレートどうしを互いに係合させるための係合部６、７を形成することが行われている。
前記係合部６、７は、図１３（イ）に拡大して示すように、その一方は、谷面３と同一高さの平坦部８から立ち上がり次いで幅方向外方に延びた後に下向きで内方に折り返された下向き係合部６、他方は、谷面３と同一高さの平坦部９から上向きで内方に折り返された上向き係合部７（なお図示例ではさらに外側に折り返されている）であって、前記上向き係合部７が下向き係合部６の内側スペースｂに嵌合して互いに係合し、この部分からコンクリートが漏れることを防止できる。
なお、図示例のデッキプレート１は、山面２及び谷面３のそれぞれ中央に、山面２又は谷面３の剛性を高めるための溝２ａ又は凸条３ａを持つ。また、図示例のデッキプレート１は、コンクリートと一体になって荷重を負担する合成床版用のデッキプレートであって、斜面４に段差部４ａを有し、この段差部４ａにより、打設後硬化したコンクリートとデッキプレート１とが一体化する。
【０００３】
この種のデッキプレート１を、端部閉塞処理をせずにそのまま型枠として用いる（図１５（イ）のデッキプレート１Ａ）と、端部開口（山面の下側部分）からコンクリートが流出するので、その端部開口を小口ふさぎ板で塞ぐか、あるいは図１５（ロ）〜（ニ）のようなエンクロデッキプレート、すなわち端部閉塞のデッキプレート１Ｂ、１Ｃ、１Ｄを用いる。
【０００４】
図１５（ロ）のデッキプレート１Ｂは、デッキプレートの長さ方向端部を上から（山面２が谷面３側にくるように）押し潰して端部閉塞の梁載置部５Ｂを形成したもので通常のエンクロデッキプレートである。
図１５（ハ）のデッキプレート１Ｃは、長さ方向端部を前記とは逆に下から（谷面３が山面２側にくるように）押し潰して端部閉塞の梁載置部５Ｃを形成したもので、いわゆる逆エンクロタイプのデッキプレートである。この逆エンクロタイプのデッキプレート１Ｃは、山面２の高さ位置が低くなるので、構築したコンクリート床の床面高さ位置を低くすることができ、建物の階高を節約できる等の長所がある。
図１５（ニ）のデッキプレート１Ｄは、長さ方向端部を押し潰して、山面２と谷面３との中間高さ位置に端部閉塞の梁載置部５Ｄを形成したもので、いわゆる中間エンクロタイプのデッキプレートである。この中間エンクロタイプのデッキプレート１Ｄは、階高節約という長所を備えつつ、梁１０上でのコンクリート厚みを確保できる。
また、図１６に示したデッキプレート１のように、梁載置部５として、下面の平坦域のデッキプレート長さ方向の長さＬ１に対して上面の平坦域のデッキプレート長さ方向Ｌ２を短く形成した中間エンクロタイプのデッキプレートも考えられる。
【０００５】
中間エンクロタイプ又は逆エンクロタイプのデッキプレート１、１Ｄ、１Ｃ（以下符号１で代表する）のように、下面側に傾斜部２６、２６Ｄ、２６Ｃ（以下符号は２６で代表する）を持つエンクロデッキプレートの場合、押潰し変形を受けていない部分から傾斜部（すなわち押潰し変形を受ける部分）２６に切り替わる折れ曲がり箇所Ｐにおいて、特に嵌合の外側となる下向き係合部６が潰されることで、デッキプレート１を敷き並べる時に係合部６、７どうしの係合が正常に行われない、すなわち、図１３（ロ）に示すように、上向き係合部７は潰れた下向き係合部６の内側スペースｂに嵌合することができないという問題がある。このため、図１３（ハ）のように幅方向にずらして配置せねばならず、デッキプレート敷き並べの幅方向寸法取りが設計通りにならない。また、ずらして配置した時、押潰し変形を受けない部分では図１３（ホ）のように係合部６、７間に隙間が生じてコンクリート漏れが生じる。なお、図１３（ニ）は梁載置部での係合状態を示す。
【特許文献１】特開平11-151538の図６、図７など
【発明の開示】
【発明が解決しようとする課題】
【０００６】
係合部６、７どうしの係合が正常に行われない不都合を解消する手段として、フラットデッキプレートの場合ではあるが、一方の係合部の部分を素板の段階（ロール成形の段階）で切り落としてしまう方法が提案（特許文献１参照）されているが、素板を部分的に切り落とすと、その箇所の断面性能が低下し、また切り屑の処理が煩雑になるので、切り落とさない方法が望まれるが、そのためには、下向き係合部６を広げて板状にすることが考えられる。
【０００７】
本発明は上記事情に鑑みてなされたもので、両側縁に係合部を持つデッキプレートの長さ方向端部を押し潰して中間エンドクローズドデッキプレート又は逆エンドクローズドデッキプレートを製造する場合に、隣接するデッキプレートの係合部どうしの係合が正常に行われない不都合を解消するために、下向き係合部を外方に広げて板状にするエンドクローズドデッキプレートの下向き係合部開き機構を提供することを目的とする。
【課題を解決するための手段】
【０００８】
上記課題を解決する本発明は、デッキプレート幅方向の一方の側縁に、谷面と同一高さの平坦部から立ち上がり次いで幅方向外方に延びた後に下向きで内方に折り返された断面形状の下向き係合部を持ち、他方の側縁に、隣接するデッキプレートの下向き係合部に嵌合する上向き係合部を持つデッキプレートを対象として、その長さ方向端部を金型で押し潰して、山面と谷面との中間高さ位置又は山面高さ位置に端部閉塞の梁載置部を形成する中間エンドクローズドデッキプレート又は逆エンドクローズドデッキプレートを製造する際に、押潰し変形を受ける部分と押潰し変形を受けない部分との境界近傍において、前記下向き係合部を、そのエッジを外方に引き出して開いた形状にするエンドクローズドデッキプレートの下向き係合部開き機構であって、
凸部を有しこの凸部が前記下向き係合部に嵌合した状態でデッキプレート幅方向の外方に移動可能に設けられた水平可動部材と、前記水平可動部材をデッキプレート幅方向外方に駆動する駆動手段とを備えたことを特徴とする。
【０００９】
請求項２は、請求項１の下向き係合部開き機構において、駆動手段が、金型を設置したプレス機のストロークを利用して水平可動部材をデッキプレート幅方向外方に駆動するものであることを特徴とする。
【００１０】
請求項３は、請求項１又は２の下向き係合部開き機構において、駆動手段が、プレス機のストローク時に、前記水平可動部材に対して相対的に上下移動可能に設けた垂直な棒状の駆動部材に傾斜面を形成し、この駆動部材の傾斜面と水平可動部材に形成した傾斜面とが接触摺動することにより、水平可動部材をデッキプレート幅方向に駆動するカムスライド機構であることを特徴とする。
【００１１】
請求項４は請求項１〜３の下向き係合部開き機構が中間エンドクローズドデッキプレートを製造する際に用いられる下向き係合部開き機構であって、
上記金型が、中間エンドクローズド形状の下面形状に概ね合わせた凹凸面を持つ下金型と、中間エンドクローズド形状の上面形状に概ね合わせた凹凸面を持つ昇降可能な上金型とからなり、前記下金型は、少なくとも押潰し変形を受ける部分に対応する固定の固定下金型と、デッキプレートの押潰し変形を受けない部分を保持しながら前記固定下金型に対して昇降可能な可動下金型とに分割されており、この可動下金型に前記水平可動部材を移動可能に設け、前記固定下金型に前記駆動部材を設けたことを特徴とする。
【発明の効果】
【００１２】
本発明の下向き係合部開き機構によれば、押潰し変形を受けていない部分から押潰し変形を受けた部分に切り替わる折れ曲がり箇所Ｐの近傍において、下向き係合部を開いて板状にすることができる。これにより、施工時にデッキプレートを敷き並べた時、下向き係合部が隣接するデッキプレートの上向き係合部の上に載る形となり、したがって、両係合部間に隙間は生じず、コンクリートがその部分から漏れる恐れはない。また、係合部を切り落とすものでないから、断面性能が低下する問題も生じず、また、切り屑処理が必要となることもない。
【００１３】
請求項２によれば、プレス機のストロークを利用して水平可動部材をデッキプレート幅方向外方に駆動するものなので、下向き係合部開き操作を簡単な機構で実現できる。
【００１４】
請求項３によれば、駆動部材側の傾斜面と水平可動部材側の傾斜面との摺動接触によるカムスライド機構により水平可動部材をデッキプレート幅方向外方に駆動するものなので、その水平可動部材をデッキプレート幅方向外方にスライドさせる動作を簡単な機構で実現できる。
【００１５】
請求項４によれば、下金型が可動下金型と固定下金型とに分割されている構成が中間エンドクローズドデッキプレート加工を円滑に行なう機構として優れているとともに、前記可動下金型に水平可動部材を設けていることで、中間エンクロデッキプレートを製造する場合の下向き係合部開き機構として、簡潔かつ極めて適切なものとなっている。
【発明を実施するための最良の形態】
【００１６】
以下、本発明のエンドクローズドデッキプレートの下向き係合部開き機構の実施例を、図１〜図１６参照して説明する。
【実施例１】
【００１７】
この実施例で対象とするデッキプレートは図１１に示した通りであり、水平な山面２と谷面３とが斜面４で連続して台形波形断面形状をなすとともに、図１３（イ）にも示すように、デッキプレート幅方向の一方の側縁に、谷面３と同一高さの平坦部８から立ち上がり次いで幅方向外方に延びた後に下向きで内方に折り返された断面形状の下向き係合部６を持ち、他方の側縁に、隣接するデッキプレートの下向き係合部６に嵌合する上向き係合部７を持つデッキプレート１である。
この実施例のエンドクローズドデッキプレートの下向き係合部開き機構３１は、このデッキプレート１の長さ方向端部を金型で押し潰して、図８、図１２、図１６のように、山面２と谷面３との中間高さ位置に端部閉塞の梁載置部５を形成する中間エンドクローズドデッキプレート１を製造する場合に適用されるものである。なお、この実施例で加工しようとする中間エンドクローズド形状（中間エンクロ形状）は図８、図１６のように、梁１０上に載る梁載置部５の下面の平坦域５ａのデッキプレート長さ方向の長さＬ１に対して、上面の平坦域５ｂのデッキプレート長さ方向の長さＬ２が短い中間エンクロ形状である。そして、このような中間エンクロデッキプレート１を製造する際に、押潰し変形を受ける部分と押潰し変形を受けない部分との境界近傍Ｐにおいて、前記下向き係合部６を、そのエッジを外方に引き出して開いた形状にするものである。
【００１８】
まず、デッキプレート１の長さ方向端部に中間エンドクローズドデッキプレート加工を施す中間エンドクローズドデッキプレート加工装置について説明する。
図１、図２はこの実施例で用いる中間エンドクローズドデッキプレート加工装置（以下、場合により中間エンクロ加工装置と略す）１１による加工手順を説明する図であり、図１は中間エンクロ加工手順における初期状態、図２は加工終了状態を示す。図１、図２において、それぞれ、（イ）は中間エンクロ加工装置の縦断面図、（ロ）は（イ）におけるＢ−Ｂ断面図、（ハ）は（イ）におけるＡ−Ａ断面図である。
【００１９】
この中間エンクロ加工装置１１は、デッキプレート１の長さ方向端部を押し潰す金型１２と、この金型１２にデッキプレート１を水平方向から送り込む昇降可能な昇降コンベヤ１３とを備えている。
前記金型１２は、中間エンクロ形状の下面形状に概ね合わせた凹凸面を持つ下金型１４と、中間エンクロ形状の上面形状に概ね合わせた凹凸面を持つ昇降可能な上金型１７とからなっている。図３（イ）は下金型１４の平面図、同図（ロ）は（イ）のＤ−Ｄ断面位置で示した上下金型の縦断面図、同図（ハ）は（イ）のＥ−Ｅ断面位置で示した上下金型の縦断面図である。
【００２０】
前記下金型１４は、少なくとも押潰し変形を受ける部分に対応する固定の固定下金型１５と、デッキプレートの押潰し変形を受けない部分を保持しながら固定下金型１５に対して昇降可能な可動下金型１６とに分割されている。
固定下金型１５は、少なくとも押潰し変形を受ける部分に対応する突出部１５ａ、可動下金型１６が昇降可能に嵌合する凹所１５ｂ、エンクロ形状の谷面側の傾斜部に対応する傾斜面１５ｃを有し、凹所１５ｂの底部に可動下金型１６を弾性的に昇降可能に支持するばね２０を配置している。固定下金型１５の突出部１５ａの斜面部分は、必ずしも中間エンクロ形状の下面形状そのままである必要はない（中間エンクロ形状の下面形状より凹んだ面とすることも考えられる）。
前記可動下金型１６は、デッキプレートの押潰し変形を受けない部分に対応する断面形状を有する。すなわち、デッキプレート１の山面２に対応する山部１６ａと谷面３に対応する谷部１６ｂ（山部１６ａ間の谷部だけでなく両側部も１６ｂで示す）と斜面４に対応する斜面部１６ｃとを有する断面形状（すなわちデッキプレート１の断面形状）である。
なお、可動下金型１６が固定下金型１５に対して昇降する際のガイドは、凹所１５ｂの壁面を利用するか（この場合は後方開口部分にも壁面を形成する）、あるいは、固定下金型１５及び可動下金型１６の一方に設けた垂直なガイドピンと他方に設けたピン穴との嵌合構造等とすることができる。
【００２１】
前記昇降コンベヤ１３は、上金型１７が図１の状態から下降する際に、上金型１７がデッキプレートを若干押し潰した時点から上金型１７に合わせて図２の高さ位置まで下降するようになっている。
【００２２】
この実施例では、下向き係合部開き機構３１を下金型１４に設けている。すなわち、可動下金型１６の側部にデッキプレート幅方向の溝１６ｄを形成し、この溝１６ｄに、下向き係合部６に嵌合可能な凸部３２ｂを有し、かつ、壁面に下向きの傾斜面３２ａを持つ上下方向の貫通穴３２ｃをあけた水平可動部材３２をデッキプレート幅方向にスライド可能に嵌合させている。一方、固定下金型１５に、プレス機のストローク時に可動下金型１６が下降した時に、水平可動部材３２の前記傾斜面３２ａに接触摺動する上向きの傾斜面３３ａを上端に持つ垂直な棒状の駆動部材３３を固定している。水平可動部材３２が下降した時、駆動部材３３の傾斜面３３ａと水平可動部材３２の傾斜面３２ａとが接触摺動するカムスライド機構により、水平可動部材３２がデッキプレート幅方向の外方にスライドする。
【００２３】
上記の下向き係合部開き機構３１による下向き係合部開き動作を、中間エンクロ加工装置１１による中間エンクロ加工工程とともに説明する。まず、中間エンクロ加工工程のみについて説明すると、次の（１）〜（３）の工程で中間エンクロ加工が行われる。
（１）デッキプレート１を載せた昇降コンベヤ１３を駆動して、下金型１４と上昇位置の上金型１７との間にデッキプレート１を送り込み、次いで、所定距離だけ下降させて、図１のように、デッキプレート１の先端部（梁載置部５となる部分）を固定下金型１５の先端近傍の上に載せ、かつ、ばね２０で付勢されて上昇位置にある可動下金型１６にデッキプレート１の押潰し変形を受けない部分を載せる。
（２）続いて、図示略のプレス機を作動させて上金型１７を下降させると、上金型１７の先端側の平坦面部１７ｃがデッキプレート１の山面２を押し込み、デッキプレート１の先端近傍が押し潰されていくが、その上金型１７の下降の途中（概ね上金型１７の凹所１７ａがデッキプレート１の上面に接触する時点）から昇降コンベヤ１３を、上金型１７の下降に概ね同期させて再び下降させながら、上金型１７をプレス機のストローク下死点まで下降させると、図２に示すように、上下の金型１４、１７でデッキプレート１の長さ方向端部が押し潰されて、最終的な中間エンクロ形状となる。
最終的な中間エンクロ形状は図８、図１２、図１６に示した通りである。実際の変形状況は複雑なので、これらの図に示した中間エンクロ形状は模式的なものであるが、特に、平坦に押し潰された端部の折り畳み状態は模式的なものである。
なお、図示例では、上金型１７の全体を一体物としてその先端部の幅方向全体が一体平坦面（平坦面部１７ｃ）であるとしているが、実際には、上金型１７を、山面２を押し下げる上金型本体と、バネ力を受けて予め山部２の両側の谷面３を押さえる板押さえ部分とに分割して、板押さえ部分で谷面３を押さえた状態で上金型本体で山面２を押し潰す。また、図示は省略したが、下金型１４のデッキプレート先端部近傍の両側位置に、エンクロ加工でデッキプレートの全体幅が拡がってしまわないためのストッパを設ける。
（３）次いで、上金型１７及び昇降コンベヤ１３を上昇させて、かつ前方又は後方に駆動して、デッキプレート１を排出する。
【００２４】
本発明の下向き係合部開き機構３１による下向き係合部開き動作について説明すると、図１の段階では、水平可動部材３２が可動下金型１６の溝１６ｄ内で同図の右方に寄った位置にあり、その凸部３２ｂが下向き係合部６の内側に嵌合している。また、駆動部材３３の上端の傾斜面３３ａは水平可動部材３２の傾斜面３２ａに接触していない。
この状態で前述の中間エンクロ加工工程のなかで、プレス機のストロークにより上金型１７が下降し、上金型１７で押し下げられる可動下金型１６とともに水平可動部材３２が下降すると、駆動部材３３の傾斜面３３ａが水平可動部材３２の傾斜面３２ａに接触摺動して、水平可動部材３２をデッキプレート幅方向の外方にスライドさせ、これにより、図２のように、水平可動部材３２の凸部３２ｂが下向き係合部６のエッジをデッキプレート幅方向外方に広げて下向き係合部６を開き、板状にする。
このように、押潰し変形を受けていない部分から押潰し変形を受けた部分に切り替わる折れ曲がり箇所Ｐの近傍において、下向き係合部６が開いて板状になると、施工時にデッキプレートを敷き並べた時、図１０に示すように、下向き係合部６は隣接するデッキプレートの上向き係合部７の上に載る形となり、したがって、両係合部間に隙間は生じず、コンクリートがその部分から漏れる恐れはない。また、係合部を切り落とすものでないから、断面性能が低下する問題も生じず、また、切り屑処理が必要となることもない。
【実施例２】
【００２５】
上述の実施例では、下向き係合部開き機構３１の駆動部材３３を下金型１４の固定下金型１５に設けたが、図６、図７に示すように、駆動部材３３’を上金型１７側に設けてもよい。すなわち、駆動部材３３’を上金型１７の下面に固定する。この場合、図示の通り、水平可動部材３２’の傾斜面３２ａ’は上向きの傾斜面とし、駆動部材３３’の傾斜面３３ａ’は下向きの傾斜面とする。
図６の状態にある駆動部材３３’が上金型１７とともに下降すると、駆動部材３３’の傾斜面３３ａ’が水平可動部材３２’の傾斜面３２ａ’に接触摺動して、水平可動部材３２’をデッキプレート幅方向の外方にスライドさせる。これにより、前記と同様、図７のように、凸部３２ｂ’が下向き係合部６のエッジをデッキプレート幅方向外方に広げて下向き係合部６を開き、板状にする。
【実施例３】
【００２６】
上述の実施例は、下金型１４が固定下金型１５と可動下金型１６とに二分割されている場合に適用したものであり、その可動下金型１６に水平可動部材３２を設けているが、二分割されていない一体の下金型を持つ金型を用いる場合には、その一体の下金型に水平可動部材を設けることができる。この場合は、駆動部材を上金型側に設けるとよい。
また、水平可動部材及び駆動部材は上述の実施例のように金型に設けると、機構が簡略化されるが、中間エンクロ加工を行う金型とは独立して設けることも可能である。その場合に、プレス機のストロークを利用して水平可動部材をスライドさせることが、機構の簡略化のために好適であるが、プレス機のストロークを利用せずに、例えば油圧等による別の駆動系統によりスライドさせる機構とすることもできる。
【実施例４】
【００２７】
上述の実施例は、図１６等のように、梁１０上に載る梁載置部５の下面の平坦域５ａのデッキプレート長さ方向の長さＬ１に対して、上面の平坦域５ｂのデッキプレート長さ方向の長さＬ２が短い中間エンクロ形状を加工する場合のものであるが、図１５（ニ）に示した中間エンドクローズドデッキプレート１Ｄのように、梁載置部５の下面の平坦域の長さと上面の平坦域の長さとが等しいエンクロ形状を加工する場合にも当然適用できる。
【実施例５】
【００２８】
また、上述の実施例は中間エンクロ加工を行う場合についてのものであるが、図１５（ハ）に示すように、山面高さ位置に端部閉塞の梁載置部を形成する逆エンクロ加工を行う場合にも適用することができる。
図１４に逆エンクロ加工の場合の実施例を示す。逆エンクロ加工の場合は、通常、図示のようにデッキプレート１を上下反転させて下金型１４”に載せ、上金型１７”を下降させて谷面３側を山面２側に押し潰す。
この実施例では、水平可動部材３２”を下金型１４”に設け、駆動部材３３”を上金型１７”に固定している。すなわち、下金型１４”の側部にデッキプレート幅方向の溝１４ｄ”を形成し、この溝１４ｄ”に、下向き係合部６（但し反転した図示の状態では上向き状態となっている）に嵌合可能な凸部３２ｂ”を有し、かつ、壁面に上向きの傾斜面３２ａ”を持つ上下方向の貫通穴３２ｃ”をあけた水平可動部材３２”をデッキプレート幅方向にスライド可能に嵌合させている。一方、上金型１７”に、下降時に水平可動部材３２”の前記傾斜面３２ａ”に接触摺動する下向きの傾斜面３３ａ”を下端に持つ垂直な棒状の駆動部材３３”を固定している。駆動部材３３”が上金型１７”とともに下降した時、駆動部材３３”の傾斜面３３ａ”と水平可動部材３２”の傾斜面３２ａ”とが接触摺動するカムスライド機構により、水平可動部材３２”がデッキプレート幅方向の外方にスライドする。これにより、前述と同様に、凸部３２ｂ”が下向き係合部６のエッジをデッキプレート幅方向外方に広げて下向き係合部６を開き、板状にする。
【図面の簡単な説明】
【００２９】
【図１】本発明の一実施例のエンドクローズドデッキプレートの下向き係合部開き機構を備えた中間エンクロ加工装置による中間エンクロ加工手順における初期状態を示すもので、（イ）は中間エンクロ加工装置の縦断面図、（ロ）は（イ）におけるＢ−Ｂ断面図、（ハ）は（イ）におけるＡ−Ａ断面図である。
【図２】図１の中間エンクロ加工装置による中間エンクロ加工手順における加工終了状態を示すもので、（イ）は中間エンクロ加工装置の縦断面図、（ロ）は（イ）におけるＢ−Ｂ断面図、（ハ）は（イ）におけるＡ−Ａ断面図である。
【図３】上記の中間エンクロ加工装置における金型を示すもので、（イ）は下金型の平面図、（ロ）は（イ）のＤ−Ｄ断面位置で示した上下金型の縦断面図、（ハ）は（イ）のＥ−Ｅ断面位置で示した上下金型の縦断面図である。
【図４】図１（ロ）のＣ−Ｃ断面図である。
【図５】図２（ロ）のＣ−Ｃ断面図である。
【図６】本発明の下向き係合部開き機構の他の実施例を示すもので、中間エンクロ加工手順における初期状態の断面図（図１（ロ）に対応する断面図）である。
【図７】図６の下向き係合部開き機構による中間エンクロ加工手順における加工終了状態の断面図（図２（ロ）に対応する断面図）である。
【図８】上記の中間エンクロ加工装置で中間エンクロ加工を施した中間エンドクローズドデッキプレートの要部の斜視図である。
【図９】図８の要部の拡大図である。
【図１０】図８のデッキプレートを敷き並べる時の折れ曲がり箇所Ｐの近傍における両係合部の係合状態を示すもので、板状の下向き係合部が上向き係合部上に重なる係合状態となって、図１３（ロ）ないし（ハ）のような状態にならずに済むことを示すものである。
【図１１】本発明の実施例で加工対象とするデッキプレートの断面図である。
【図１２】図１１のデッキプレートの長さ方向端部を中間エンクロ加工した中間エンドクローズドデッキプレートをデッキプレート長さ方向から見た図である。
【図１３】図１２のデッキプレートを敷き並べる時の下向き係合部と上向き係合部との各位置における係合状態を説明するもので、（イ）は変形を受けていない部分での係合状態を示す断面図、（ロ）は折れ曲がり箇所Ｐでの両係合部の変形状態を説明する図、（ハ）は折れ曲がり箇所Ｐでの係合状態を示す断面図、（ニ）は梁載置部での係合状態を示す断面図、（ホ）は折れ曲がり箇所Ｐで（ハ）のような係合状態にある場合における、変形を受けていない部分での係合状態を示す断面図である。
【図１４】逆エンクロデッキプレートに適用した場合の下向き係合部開き機構の一実施例を示すもので、（イ）は逆エンクロ加工装置の縦断面図（（ロ）のＨ−Ｈ断面図に相当）、（ロ）は（イ）におけるＦ−Ｆ断面図、（ハ）は（イ）におけるＧ−Ｇ断面図である。
【図１５】エンクロのタイプのデッキプレートについて一般的に説明するもので、（イ）は端部閉塞していないデッキプレート、（ロ）は通常エンクロタイプのデッキプレート、（ハ）は逆エンクロタイプのデッキプレート、（ニ）は中間エンクロタイプのデッキプレートである。
【図１６】中間エンクロタイプのデッキプレートの他の例を示す図である。
【符号の説明】
【００３０】
１  デッキプレート
２  山面
３  谷面
４  斜面
５  梁載置部
５ａ  下面の平坦域
５ｂ  上面の平坦域
６  下向き係合部
７  上向き係合部
１０  梁
１１  中間エンドクローズドデッキプレート加工装置（中間エンクロ加工装置）
１２  金型
１３  昇降コンベヤ
１４、１４”  下金型
１４ｄ”  溝
１５  固定下金型
１５ａ  突出部
１５ｂ  凹所
１５ｃ  傾斜面
１６  可動下金型
１６ａ  山部
１６ｂ  谷部
１６ｃ  斜面部
１６ｄ  溝
１７、１７”  上金型
１７ａ  凹所
１７ｂ  凸部
１７ｃ  平坦面部
２０  ばね
３１  下向き係合部開き機構
３２、３２’、３２”  水平可動部材
３２ａ、３２ａ’、３２ａ”  傾斜面
３２ｂ、３２ｂ’、３２ｂ”  凸部
３２ｃ、３２ｃ’、３２ｃ”  貫通穴
３３、３３’、３３”  駆動部材
３３ａ、３３ａ’、３３ａ”  傾斜面
【図１】
0004794272.tif 000002
【図２】
0004794272.tif 000003
【図３】
0004794272.tif 000004
【図４】
0004794272.tif 000005
【図５】
0004794272.tif 000006
【図６】
0004794272.tif 000007
【図７】
0004794272.tif 000008
【図８】
0004794272.tif 000009
【図９】
0004794272.tif 000010
【図１０】
0004794272.tif 000011
【図１１】
0004794272.tif 000012
【図１２】
0004794272.tif 000013
【図１３】
0004794272.tif 000014
【図１４】
0004794272.tif 000015
【図１５】
0004794272.tif 000016
【図１６】
0004794272.tif 000017